(57)【要約】【課題】汎用性を向上させることができる収納ユニットを提供する。【解決手段】収納ユニット１０は、配線器具が配置される器具配置部２１を前面に有し、施工面に背面を対向させるように取り付けられるボディ２０と、ボディ２０の前面に一端側が回動自在に取り付けられ、器具配置部２１を覆う閉塞位置にあるときにボディ２０との間で配線器具を収納するカバー５０とを有する。器具配置部２１には、第１被係止部を有する第１配線器具が収納されるときに第１被係止部と係止される係止突起３２が設けられている。さらに、器具配置部２１には、第２被係止部を有する第２配線器具が収納されるときに第２被係止部と係止される係止突起３０，３１が設けられている。係止突起３２と係止突起３０，３１とは異なる位置に設けられている。【選択図】図１
2016146709.tif 000002
【特許請求の範囲】
【請求項１】
第１被係止部を有する第１配線器具と、前記第１被係止部と異なる位置に形成された第２被係止部を有する第２配線器具とを含む複数種類の配線器具群から択一的に選択される配線器具が収納される収納ユニットであって、
前記配線器具が配置される器具配置部を前面に有し、施工面に背面を対向させるように取り付けられるボディと、
前記ボディの前面に一端側が回動自在に取り付けられ、又は前記ボディに着脱自在に取り付けられ、前記器具配置部を覆う閉塞位置にあるときに前記ボディとの間で前記配線器具を収納するカバーと、
前記器具配置部に設けられ、前記第１配線器具が収納されるときに前記第１被係止部と係止される第１係止部と、
前記器具配置部の前記第１係止部とは異なる位置に設けられ、前記第２配線器具が収納されるときに前記第２被係止部と係止される第２係止部と、
を有することを特徴とする収納ユニット。
【請求項２】
請求項１に記載の収納ユニットにおいて、
前記第１係止部は、前記第２係止部が前記第２被係止部に係止して前記ボディに対して前記第２配線器具が位置決めされるときに、前記第２配線器具のいずれにも係止しない係止部であり、
前記第２係止部は、前記第１係止部が前記第１被係止部に係止して前記ボディに対して前記第１配線器具が位置決めされるときに、前記第１配線器具のいずれにも係止しない係止部であることを特徴とする収納ユニット。
【請求項３】
請求項１又は２に記載の収納ユニットにおいて、
前記器具配置部には、前記施工面から電線を導入する開口部が貫設され、
前記第１係止部は、前記ボディの前面から前方に突出する係止突起であり、
前記第２係止部は、前記開口部の内側面から前記開口部内に突出する係止突起であることを特徴とする収納ユニット。
【請求項４】
請求項１〜３のいずれか一項に記載の収納ユニットにおいて、
前記ボディの前面には、前方に突出して前記器具配置部の周囲の少なくとも一部を覆う水切壁が突設され、
前記閉塞位置にあるときの前記カバーの内周壁と前記水切壁とが近接する少なくとも一部には、前記カバーの内周壁と前記水切壁との隙間を埋めるパッキンが設けられていることを特徴とする収納ユニット。
【請求項５】
請求項４に記載の収納ユニットにおいて、
前記配線器具は、上下方向に沿った前記施工面に取り付けられる配線器具であって、
前記水切壁は、前記ボディの両側端縁に沿って上下方向に延びるように突設された第１水切壁を有し、
前記ボディの前面と対向する前記カバーの前壁背面には、前記第１水切壁と近接する位置に、前記ボディに接触しない高さで後方に突出して上下方向に延長されたリブが突設されていることを特徴とする収納ユニット。
【請求項６】
請求項５に記載の収納ユニットにおいて、
前記ボディの背面に取り付けられる裏面パッキンと、
前記第１水切壁の下端部近傍の前記ボディに貫設された排水孔と、を有し、
前記裏面パッキンは、前記施工面側から見たときの平面視形状における下端の角部が面取りされた形状に形成されていることを特徴とする収納ユニット。
【発明の詳細な説明】
【技術分野】
【０００１】
本発明は、収納ユニットに関するものである。
【背景技術】
【０００２】
従来、スイッチやコンセント等の配線器具を造営物の外壁等の施工面に埋込配設する場合には、施工面に埋込ボックスを埋設し、配線器具が収納された収納ユニットをボックスねじ等により埋込ボックスに取り付けている（例えば、特許文献１参照）。
【先行技術文献】
【特許文献】
【０００３】
【特許文献１】特開２００９−５５７４６号公報
【発明の概要】
【発明が解決しようとする課題】
【０００４】
ところが、従来の収納ユニットは、配線器具の形状に合わせて専用の構造に設計されている。このため、配線器具の形状が変更されると、その変更に合わせて収納ユニットも設計変更する必要があり、汎用性が低いという問題があった。
【０００５】
本発明は、上記課題を解決するためになされたものであって、その目的は、汎用性を向上させることができる収納ユニットを提供することにある。
【課題を解決するための手段】
【０００６】
上記課題を解決するために、収納ユニットは、第１被係止部を有する第１配線器具と、前記第１被係止部と異なる位置に形成された第２被係止部を有する第２配線器具とを含む複数種類の配線器具群から択一的に選択される配線器具が収納される収納ユニットであって、前記配線器具が配置される器具配置部を前面に有し、施工面に背面を対向させるように取り付けられるボディと、前記ボディの前面に一端側が回動自在に取り付けられ、又は前記ボディに着脱自在に取り付けられ、前記器具配置部を覆う閉塞位置にあるときに前記ボディとの間で前記配線器具を収納するカバーと、前記器具配置部に設けられ、前記第１配線器具が収納されるときに前記第１被係止部と係止される第１係止部と、前記器具配置部の前記第１係止部とは異なる位置に設けられ、前記第２配線器具が収納されるときに前記第２被係止部と係止される第２係止部と、を有する。
【発明の効果】
【０００７】
本発明の収納ユニットによれば、汎用性を向上させることができる。
【図面の簡単な説明】
【０００８】
【図１】第１実施形態の収納ユニットを示す斜視図である。
【図２】第１実施形態の収納ユニットの分解斜視図である。
【図３】第１実施形態の収納ユニットの正面図である。
【図４】第１実施形態の収納ユニットを示す断面図（図３の４−４断面図）である。
【図５】第１実施形態の収納ユニットを示す断面図（図３の５−５断面図）である。
【図６】第１実施形態の収納ユニットの背面図である。
【図７】第１実施形態の収納ユニットに配線器具を取り付けた状態を示す斜視図である。
【図８】第１実施形態の収納ユニットに取付プレートを取り付けた状態を示す斜視図である。
【図９】第１実施形態の収納ユニットに取付プレートを取り付ける態様を示す説明図。
【図１０】第１実施形態の係止突起と凹部との関係を示す説明図である。
【図１１】第１実施形態の係止突起と凹部との関係を示す説明図である。
【図１２】第１実施形態の係止突起と凹部との関係を示す説明図である。
【図１３】第２実施形態の収納ユニットを示す斜視図である。
【図１４】第２実施形態の係止突起と凹部との関係を示す説明図である。
【図１５】第２実施形態の係止突起と凹部との関係を示す説明図である。
【発明を実施するための形態】
【０００９】
（第１実施形態）
以下、収納ユニットの第１実施形態を図面に従って説明する。以下の説明では、収納ユニットを施工面（例えば、造営物の外壁）に取り付けた状態を示す図３における上下方向を「上下方向Ｚ」とし、図３における左右方向を「左右方向Ｙ」とする。また、上下方向Ｚ及び左右方向Ｙの両方に直交する方向を「前後方向Ｘ」とする。前後方向Ｘにおいて、施工面から収納ユニットに向かう方向を「前方」とし、収納ユニットから施工面に向かう方向を「後方」とする。
【００１０】
図１に示した収納ユニット１０は、形状位置の異なる被係止部を有する複数種類の配線器具を収納可能である。例えば、収納ユニット１０は、図７〜図１０に示す配線器具７０、図１１に示す配線器具８１や図１２に示す配線器具８３等を含む複数種類の配線器具群の中から択一的に選択される配線器具を位置決めした状態で収納することができる。
【００１１】
図２に示すように、収納ユニット１０は、配線器具が配置される器具配置部２１が前面に形成されたボディ２０と、ボディ２０の前面に取り付けられたカバー５０と、ボディ２０の背面に取り付けられた裏面パッキン６０とを有している。ボディ２０は、配線器具と共に施工面に取り付けられるものであって、施工面に取り付けられた状態では背面を施工面に対向させる。
【００１２】
カバー５０は、後面開口の箱状に形成されている。すなわち、カバー５０は、正面視がボディ２０と略同じ外周形状を有する前壁５１と、一対の側壁と、側壁を介して相対向して配置された上壁及び下壁とを有し、後方側が開放された箱体に形成されている。カバー５０は、器具配置部２１を覆う閉塞位置（図３参照）と器具配置部２１を開放する開放位置（図１参照）との間で開閉自在となるようにボディ２０の前面に取り付けられている。
【００１３】
詳述すると、ボディ２０の前面の上端部には、一対の軸受台２２が左右方向Ｙに並ぶように突設されている。一対の軸受台２２には回転軸４０が挿通されている。この回転軸４０は軸受台２２に挿通されることにより、ボディ２０に支持されるとともに、ボディ２０の上端縁に沿って配置される。また、一対の軸受台２２の間には、凹所２３が設けられている。凹所２３内には、凹所２３の前面を覆う摺動板４１と、摺動板４１を前方に付勢する板ばね４２とが収納されている。そして、カバー５０は、回転軸４０によってボディ２０に対して軸着されている。具体的には、回転軸４０が、カバー５０の上端部に設けられた軸受部５２に挿通される。これにより、カバー５０は、ボディ２０に対して回転軸４０を中心として、閉塞位置と開放位置との間で回動自在となる。
【００１４】
図１に示すように、カバー５０の前壁５１の背面には、カバー５０の各側壁の近傍に、その側壁に沿って上下方向Ｚに延びるリブ５３が後方に向かって突設されている。リブ５３は、カバー５０が閉塞位置にあるときに、ボディ２０の前面に接触しないように、カバー５０の側壁よりも低く形成されている。
【００１５】
ボディ２０の器具配置部２１には、施工面から電線や信号線等を導入するための開口部２４が貫設されている。開口部２４は、ボディ２０を前後方向Ｘに貫通するように形成されている。開口部２４は、例えば、施工面に形成された埋込孔（図示略）に対応した形状に形成されている。本例の開口部２４は、前後方向Ｘの平面視において略四角形状に形成されている。
【００１６】
開口部２４よりも上側のボディ２０の前面には、前方に突出して器具配置部２１を覆うように左右方向Ｙに沿って延出された水切壁２５が立設されている。水切壁２５は、開口部２４と、カバー５０の取付位置である軸受台２２との間に立設されている。水切壁２５は、前後方向Ｘの平面視において上方に凸となる湾曲形状に形成されている。これにより、水切壁２５の上面には、水切壁２５の長手方向（左右方向Ｙ）の両端部を中央部よりも低くする勾配が付与されている。
【００１７】
ボディ２０の前面には、水切壁２５と共に器具配置部２１を全周に亘って包囲する水切壁２６が立設されている。水切壁２６は、ボディ２０の外周縁に沿って立設されている。具体的には、水切壁２６は、水切壁２５の長手方向の両端部から下方に延出され、互いに対向する一対の水切壁２７と、一対の水切壁２７の下端部付近から左右方向Ｙに延出された水切壁２８とを有している。換言すると、水切壁２５は、一対の水切壁２７の上端部から左右方向Ｙに突出する寸法に形成されている。
【００１８】
各水切壁２７は、ボディ２０の左右各側端縁に沿って上下方向Ｚに延びるように立設されている。水切壁２８は、ボディ２０の下端縁に沿って左右方向Ｙに延びるように立設されている。水切壁２８の高さ寸法（前後方向Ｘの寸法）は、一対の水切壁２７の高さ寸法よりも小さく設定されている。
【００１９】
図３に示すように、水切壁２７は、閉塞位置にあるカバー５０の側壁と、カバー５０の前壁５１背面に突設されたリブ５３との間に配置される。換言すると、リブ５３は、カバー５０が閉塞位置にあるときに、水切壁２７よりも内側であって、且つ水切壁２７に近接した位置に設けられている。また、リブ５３は、水切壁２５よりも下側の位置から、前後方向Ｘの平面視において水切壁２８と重なる位置まで上下方向Ｚに延びるように形成されている。
【００２０】
図４に示すように、カバー５０が閉塞位置にあるときには、水切壁２７の前端面と前壁５１の背面との間には隙間Ｓ１が形成される。そして、リブ５３は、カバー５０が閉塞位置にあるときに、左右方向Ｙの平面視において隙間Ｓ１と重なる位置に設けられる。ここで、リブ５３の突出寸法（前後方向Ｘの寸法）は、隙間Ｓ１の前後方向Ｘの寸法よりも大きく設定されている。このため、閉塞位置にあるカバー５０の側壁側から隙間Ｓ１を通じて水切壁２７よりも内側に水が浸入してきた場合であっても、リブ５３によって器具配置部２１への水の浸入を好適に抑制することができる。
【００２１】
収納ユニット１０では、隙間Ｓ１を通じて浸入する水がリブ５３の左右方向Ｙの外側に位置する側面５３Ａに伝うように、その側面５３Ａを、水切壁２７の左右方向Ｙの内側に位置する側面２７Ａに近接させている。すなわち、各リブ５３の側面５３Ａは、各水切壁２７の側面２７Ａに対し所定の隙間を介して突き合わされており、その隙間は、水滴がリブ５３の側面５３Ａと水切壁２７の側面２７Ａとの両方に接触した状態で通過する寸法に設定されている。
【００２２】
図３に示すように、ボディ２０の下端部の左右両側には、前後方向Ｘに貫通する排水孔２９が形成されている。各排水孔２９は、水切壁２７の下側に設けられている。具体的には、各排水孔２９は、水切壁２７よりも内側であって、且つ、水切壁２８よりも下側の位置に設けられている。排水孔２９の下端縁は、閉塞位置にあるカバー５０の下壁の上面と略同じ高さに配置されている。
【００２３】
図２に示すように、水切壁２５の前端面には、パッキン４３が装着されている。パッキン４３の材料としては、弾性を有する弾性材料（例えば、合成ゴム）を用いることができる。パッキン４３は、水切壁２５と閉塞位置にあるカバー５０の内周壁との隙間を埋めるように設けられている。具体的には、パッキン４３は、水切壁２５とカバー５０の上壁との隙間を埋めるように、水切壁２５の長手方向（つまり、左右方向Ｙ）に沿って延出されている。
【００２４】
パッキン４３は、水切壁２５の長手方向に延びる細長形状に形成され、水切壁２５に取り付けられるパッキン本体４４を有している。パッキン本体４４は、水切壁２５の上面に当接する主片４４Ａと、水切壁２５の前端面に当接する垂片４４Ｂとを有し、断面略Ｌ字状に形成されている。ここで、水切壁２５の長手方向中央部の前端面には切欠２５Ａが形成されている。また、パッキン本体４４の長手方向の中央部には、垂片４４Ｂから後方に突出する位置決め片（図示略）が設けられている。そして、位置決め片（図示略）が切欠２５Ａに挿入されることで、水切壁２５に対するパッキン４３の位置決めが行われる。さらに、水切壁２５からパッキン４３が外れて落脱することを抑制するために、パッキン本体４４は接着剤等を用いて水切壁２５の前端面に接着されている。
【００２５】
ところで、図１に示すように、カバー５０の上壁の下部には、水切壁２５の上面と同様に上方に凸となる湾曲形状に形成された下面を有する当接台５４が設けられている。すなわち、当接台５４の下面は、水切壁２５の上面に沿って湾曲した形状に形成されている。このため、当接台５４の下面と水切壁２５の上面との間の隙間は、水切壁２５の長手方向の全長に亘って略一定になっている。
【００２６】
図５に示すように、カバー５０が閉塞位置にあるときに、当接台５４の下面はパッキン４３の主片４４Ａの上面に対向している。主片４４Ａの上面の後端部には、主片４４Ａの長手方向の全長に亘って上斜め前方に向かって突出する突出片４５が設けられている。突出片４５は、閉塞位置にあるカバー５０における水切壁２５との対向面（ここでは、当接台５４の下面）に対して斜めに突出している。例えば、当接台５４の下面に対する突出片４５の傾斜角度や突出片４５の突出寸法（上下方向Ｚの寸法）は、閉塞位置にあるカバー５０の当接台５４に突出片４５の先端部が弾接するように設定されている。
【００２７】
このようなパッキン４３により、水切壁２５とカバー５０の上壁（当接台５４）との隙間を閉塞することができ、水切壁２５とカバー５０との間の水密性を確保することができる。そして、パッキン４３の突出片４５により水切壁２５と当接台５４との隙間が閉塞されることにより、パッキン４３と水切壁２５の上面とカバー５０の上壁下面とで囲まれた部位に、水の通り道となる通水路４７が形成される。
【００２８】
ところで、収納ユニット１０では、カバー５０をボディ２０に対して回動可能とするために、閉塞位置にあるカバー５０の上端部とボディ２０との間に隙間が形成されているため、この隙間からカバー５０及びボディ２０に囲まれる保護空間内に水が浸入する。この浸入した水は、まず、水切壁２５により遮られる。水切壁２５で遮られた水は、水切壁２５の上面に付与されている勾配により、通水路４７を通じて水切壁２５の左右両端部に流れる。このとき、水切壁２５の左右両端部にはパッキン４３が設けられていないため、水切壁２５の左右両端部に流れた水は水切壁２７（図１参照）で囲まれた器具配置部２１の側方を通ってカバー５０の下壁に流れ着く。このため、カバー５０における器具配置部２１との対向部位に水が流れ着くことはほとんどない。したがって、例えば豪雨時などに雨滴が収納ユニット１０に当たった衝撃によりカバー５０が振動することがあっても、器具配置部２１に配置された配線器具に水が掛かることを好適に抑制できる。さらに、カバー５０の下壁に流れ着いた水は、排水孔２９を通じてボディ２０の背面側に排水される。
【００２９】
一方、図１に示すように、器具配置部２１には、開口部２４の内側面から開口部２４内部に向かって突出する係止突起３０が突設されている。係止突起３０は、開口部２４の開口縁部の角部の内側面から突設されている。各係止突起３０は、開口部２４の内側面の前後方向Ｘの全長に亘って延出されている。各係止突起３０は、前後方向Ｘの平面視において階段状に形成されている。具体的には、各係止突起３０は、開口部２４の上下方向Ｚに延びる内側面から開口部２４の左右方向Ｙに延びる内側面に向かって階段状に傾斜するように形成されている。各係止突起３０は、開口部２４の左右方向Ｙに延びる内側面と略平行な面であって、開口部２４の上下方向Ｚに延びる内側面と接続された第１面３０Ａを有している。
【００３０】
また、器具配置部２１には、開口部２４の内側面から開口部２４内部に突出する係止突起３１が突設されている。係止突起３１は、開口部２４の上下方向Ｚに延びる内側面から突設されている。具体的には、係止突起３１は、各係止突起３０に対応して設けられている。より具体的には、係止突起３１は、開口部２４の上下方向Ｚに延びる２つの内側面に２つずつ設けられている。各係止突起３１は、開口部２４の内側面の前後方向Ｘの全長に亘って延出されている。各係止突起３１の突出寸法（左右方向Ｙの寸法）は、第１面３０Ａの左右方向Ｙの寸法よりも小さく設定されている。
【００３１】
係止突起３０，３１は、例えば、図１２に示す配線器具８３が収納ユニット１０に収納されるときに、配線器具８３の突起部８４に係止して配線器具８３をボディ２０に支持する係止部である。
【００３２】
器具配置部２１におけるボディ２０の前面には、前方に突出する複数個（ここでは、３個）の係止突起３２が突設されている。係止突起３２は、開口部２４の周囲に設けられている。具体的には、係止突起３２は、開口部２４の開口縁部の４つの角部のうち３つの角部（図１では、左上の角部、左下の角部及び右下の角部）に対応して設けられている。本例の係止突起３２は、開口部２４の３つの角部に設けられた係止突起３０の前面に設けられている。各係止突起３２は、例えば、先端部が切り落とされた円柱状に形成されている。
【００３３】
係止突起３２は、例えば、図１０に示す配線器具７０や図１１に示す配線器具８１が収納ユニット１０に収納されるときに、配線器具７０，８１の凹部８０，８２に係止して配線器具７０，８１をボディ２０に支持する係止部である。
【００３４】
また、水切壁２８の上側におけるボディ２０前面には、ボディ２０を前後方向Ｘに貫通する複数個（ここでは、２個）の取付孔３５が左右方向Ｙに並んで設けられている。また、各水切壁２７と開口部２４との間には、ボディ２０を前後方向Ｘに貫通する複数個の取付孔３６が上下方向Ｚに並んで設けられている。本例では、各水切壁２７と開口部２４との間に取付孔３６が２個ずつ設けられている。
【００３５】
ボディ２０の背面には、外周縁全周に亘って後方に突出する裏面リブ３７が立設されている。裏面リブ３７の後端部は、収納ユニット１０を施工面に取り付けたときに施工面に当接される。
【００３６】
図６に示すように、裏面リブ３７の下端部には、上下方向Ｚに貫通する水抜き孔３８が形成されている。本例の水抜き孔３８は、排水孔２９と対応する位置、つまり裏面リブ３７の下端部の左右両側に形成されている。また、ボディ２０の背面には、開口部２４の開口縁部全周に亘って後方に突出する裏面リブ３９が立設されている。
【００３７】
裏面リブ３７と裏面リブ３９とによって囲まれた空間に裏面パッキン６０が取り付けられている。裏面パッキン６０は、ボディ２０の開口部２４を囲むように枠状に形成されている。裏面パッキン６０は、前後方向Ｘの平面視において略矩形状に形成されている。具体的には、裏面パッキン６０は、施工面側から見たときの平面視形状が略矩形状に形成され、その矩形状における下端の２つの角部が面取りされた形状に形成されている。より具体的には、裏面パッキン６０の下方の角部には、裏面パッキン６０の下端縁の左右各端部と、裏面パッキン６０の上下方向Ｚに延びる各側端縁の下端部とをつなぐ接続部６１が形成されている。ここで、上述した排水孔２９は、裏面パッキン６０よりも下側に設けられている。本例の接続部６１は、裏面パッキン６０の下端縁の左右各端部から裏面パッキン６０の各側端縁の下端部に向かうにつれて、排水孔２９との間の上下方向Ｚの離間距離が長くなるように、斜め上方に傾斜して形成されている。これにより、裏面パッキン６０の下方の角部が面取りされていない場合に比べて、排水孔２９周辺において、裏面パッキン６０と裏面リブ３７とによって囲まれた空間を広く確保することができる。このため、ボディ２０の前面から排水孔２９を通じてボディ２０の背面側に排水された水を、水抜き孔３８を通じて外部に効率良く排水することができる。したがって、裏面パッキン６０と裏面リブ３７とによって囲まれた空間に水が溜まることを好適に抑制することができる。
【００３８】
裏面パッキン６０は、開口部２４を囲む内側パッキン６２と、内側パッキン６２を囲む外側パッキン６３と、内側パッキン６２と外側パッキン６３とを一体に連結する連結部６４とを有している。内側パッキン６２及び外側パッキン６３には、裏面リブ３７，３９より後方に突出するフィン部が形成されている。また、外側パッキン６３の下端部の中央部には、切欠６５が設けられている。
【００３９】
図２に示すように、裏面パッキン６０の前面には、ボディ２０に形成された取付孔３５に対応する位置にそれぞれ前方に突出する取付突起６６が突設されるとともに、取付孔３６に対応する位置にそれぞれ前方に突出する取付突起６７が突設されている。裏面パッキン６０は、各取付突起６６を対応する取付孔３５に差し込み、各取付突起６７を対応する取付孔３６に差し込むことにより、ボディ２０の背面に取り付けられる。
【００４０】
そして、施工時には、ボディ２０に裏面パッキン６０を取り付けた状態でボディ２０を施工面に取り付けることにより、ボディ２０と施工面との間に裏面パッキン６０が介装されることになる。このとき、図６に示した内側パッキン６２及び外側パッキン６３に形成されたフィン部を撓ませて裏面パッキン６０が施工面に弾接されることにより、ボディ２０の背面と施工面との間の水密性が確保される。さらに、仮に外側パッキン６３を超えて内側パッキン６２と外側パッキン６３との間に水が浸入した場合であっても、この水は切欠６５を通じて外側パッキン６３の外側に排出することができる。
【００４１】
以上説明した収納ユニット１０では、器具配置部２１の異なる位置に複数種類の係止突起３０〜３２を設けたことにより、外周形状の異なる複数種類の配線器具をボディ２０に対して位置決めした状態で収納することができる。以下に、収納ユニット１０に収納可能な配線器具を収納ユニット１０に取り付ける態様について例を挙げて説明する。
【００４２】
まず、図７〜図１０を参照して、取付プレート７２を有する配線器具７０を収納ユニット１０に取り付ける態様について説明する。
図７に示すように、収納ユニット１０には、例えば、埋込型の配線器具７０が収納される。配線器具７０は、開口部２４（図１参照）内に挿入された状態でボディ２０の器具配置部２１に配置される。配線器具７０は、例えば、上下方向Ｚに沿った施工面に取り付けられる。図７に示した例では、配線器具７０としてコンセントを例示している。このように配線器具としてコンセントを用いた場合には、プラグの栓刃が挿入される栓刃挿入口を設けた機能面を前面として器具配置部２１に配置される。そして、通常時はカバー５０を閉塞位置に位置させることにより配線器具７０を水滴から保護し、配線器具７０を使用する際にはカバー５０を開放位置に位置させることにより配線器具７０の機能面を露出させる。
【００４３】
図７及び図８に示すように、配線器具７０は、機能面を有する器具本体７１と、器具本体７１を保持した状態で施工面に取り付けられる取付プレート７２と、取付プレート７２に対して着脱自在に係着される化粧プレート７３とを有している。器具本体７１は、取付プレート７２を用いて収納ユニット１０内に収納されるとともに、取付プレート７２を用いて施工面に取り付けられる。なお、配線器具７０としては、取付プレート７２と器具本体７１とが一体に形成された配線器具を用いてもよい。
【００４４】
図８に示すように、取付プレート７２は、例えば、開口部２４の開口周部を覆うように、ボディ２０の前面に取り付けられる。また、取付プレート７２は、例えば、施工面に設けられた埋込孔（図示略）の開口周部を覆うように施工面に対して取り付けられる。
【００４５】
取付プレート７２は、一対の取付片７４と、一対の取付片７４を連結する枠体７５とを有している。取付プレート７２は、一対の取付片７４と枠体７５とによって囲まれた開口部７６を有する矩形枠状に形成されている。開口部７６は、取付プレート７２がボディ２０に取り付けられたときに、ボディ２０の開口部２４と連通する位置に設けられている。各取付片７４には、施工面に埋設された埋込ボックス（図示略）に取付プレート７２を取り付けるためのボックス用ねじ（図示略）や、取付プレート７２を施工面に直付けするためのねじ（図示略）が挿通される挿通孔７７が設けられている。挿通孔７７は、例えば、取付プレート７２がボディ２０に取り付けられたときに、ボディ２０の開口部２４と連通する位置に設けられている。
【００４６】
図９に示すように、取付プレート７２の背面には、枠体７５の外周縁全周に亘って後方に突出する裏面リブ７８が立設されている。裏面リブ７８の後端部は、取付プレート７２をボディ２０に取り付けたときに、開口部２４周辺のボディ２０前面に当接される。取付プレート７２の背面の３つの角部には、取付プレート７２の背面に立設されたリブ７９と裏面リブ７８とによって囲まれた凹部８０が形成されている。凹部８０は、ボディ２０に形成された係止突起３２にそれぞれ対応する位置に設けられている。各凹部８０は、裏面リブ７８の後端面から前方に向かって凹むように形成されている。各凹部８０は、前後方向Ｘの平面視において略扇形状に形成されている。
【００４７】
そして、器具本体７１（図９では図示略）を保持した取付プレート７２がボディ２０の前面に取り付けられると、各凹部８０には、対応する係止突起３２が挿入される。このとき、図１０に示すように、係止突起３２は、各凹部８０に対して上下方向Ｚの内側寄りの位置であって、且つ左右方向Ｙの内側寄りの位置にそれぞれ挿入され、各凹部８０の内周面に当接される。具体的には、各係止突起３２は、対応する凹部８０の上下方向Ｚの内側寄りの内周面に当接されるとともに、対応する凹部８０の左右方向Ｙの内側寄りの内周面に当接される。より具体的には、図中右上に位置する係止突起３２は、下側の外周面が右上の凹部８０の下側の内周面に当接されるとともに、左側の外周面が右上の凹部８０の左側の内周面に当接される。右下に位置する係止突起３２は、上側の外周面が右下の凹部８０の上側の内周面に当接されるとともに、左側の外周面が右下の凹部８０の左側の内周面に当接される。左下に位置する係止突起３２は、上側の外周面が左下の凹部８０の上側の内周面に当接されるとともに、右側の外周面が右下の凹部８０の右側の内周面に当接される。これらにより、凹部８０の内周面に係止突起３２が係止され、図８に示すように、ボディ２０に対する取付プレート７２の上下方向Ｚ及び左右方向Ｙの位置合わせがなされる。すなわち、係止突起３２によって、器具本体７１を保持した取付プレート７２が、ボディ２０に対して位置決めされた状態で支持される。このため、ボディ２０と取付プレート７２との間の位置ずれに起因して、化粧プレート７３がボディ２０に対して傾いて取り付けられ見栄えが悪くなったり、あるいは化粧プレート７３を取り付けられなくなったりするという問題を回避することができる。
【００４８】
このようにボディ２０と取付プレート７２との相対的な位置合わせがなされた後に、取付プレート７２の挿通孔７７及びボディ２０の開口部２４にボックス用ねじ等を通すことで、取付プレート７２とボディ２０との両方が施工面（埋込ボックス）に取り付けられる。すなわち、ボディ２０（収納ユニット１０）は、施工面に取り付けられた状態で取付プレート７２と施工面との間に挟装される。なお、図７に示した化粧プレート７３は、取付プレート７２がボディ２０と共に施工面に取り付けられた後に、その取付プレート７２に装着される。
【００４９】
ここで、取付プレート７２の凹部８０に係止突起３２が係止されるときに、係止突起３０，３１は、取付プレート７２のいずれにも係止しない。すなわち、係止突起３０，３１は、ボディ２０に対する取付プレート７２（配線器具７０）の位置合わせに寄与しない。
【００５０】
次に、図１１を参照して、配線器具７０と異なる配線器具８１を収納ユニット１０に取り付ける態様について説明する。なお、図１１では、説明の簡略化のために、配線器具８１の被係止部である凹部８２のみを図示し、その他の構造の図示は割愛している。
【００５１】
図１１に示すように、配線器具８１の背面の３つの角部には、前方に凹む凹部８２が形成されている。凹部８２は、係止突起３２にそれぞれ対応する位置に設けられている。各凹部８２は、前後方向Ｘの平面視において略扇形状に形成されている。但し、各凹部８２は、図１０に示した凹部８０とそれぞれ異なる位置に設けられ、凹部８０よりも大きく形成されている。具体的には、各凹部８２は、外側寄りの内周面が、凹部８０の外側寄りの内周面よりも上下方向Ｚ及び左右方向Ｙの内側寄りの位置に形成されている。このため、上下に隣接した２つの凹部８２における外側寄りの内周面の間の間隔Ｌ１が、図１０に示した凹部８０における外側寄りの内周面の間の間隔Ｌ２よりも狭く設定されている。また、左右に隣接した２つの凹部８２における外側寄りの内周面の間の間隔Ｌ３が、図１０に示した凹部８０における外側寄りの内周面の間の間隔Ｌ４よりも狭く設定されている。
【００５２】
このような配線器具８１がボディ２０の前面に取り付けられると、各凹部８２には、対応する係止突起３２が挿入される。このとき、係止突起３２は、各凹部８２に対して上下方向Ｚの外側寄りの位置であって、且つ左右方向Ｙの外側寄りの位置にそれぞれ挿入され、各凹部８２の内周面に当接される。具体的には、係止突起３２は、外側寄りの外周面が対応する凹部８２の外側寄りの内周面に当接される。より具体的には、図中右上に位置する係止突起３２は、上側の外周面が右上の凹部８２の外側寄りの内周面（図１１において、円弧状に形成された内周面）に当接される。図中右下に位置する係止突起３２は、下側の外周面が右下の凹部８２の下側の内周面に当接されるとともに、右側の外周面が右下の凹部８２の右側の内周面に当接される。図中左下に位置する係止突起３２は、下側の外周面が左下の凹部８２の下側の内周面に当接されるとともに、左側の外周面が左下の凹部８２の左側の内周面に当接される。これらにより、配線器具８１の被係止部である凹部８２に係止突起３２が係止され、ボディ２０に対する配線器具８１の上下方向Ｚ及び左右方向Ｙの位置合わせがなされる。
【００５３】
このように、収納ユニット１０の係止突起３２は、被係止部である凹部８０，８２の形成位置及び形状が異なる場合であっても、配線器具７０，８１を位置決めした状態でボディ２０に支持することができる。なお、この場合にも、係止突起３０，３１は、ボディ２０に対する配線器具８１の位置合わせに寄与しない。
【００５４】
次に、図１２を参照して、配線器具７０，８１と異なる配線器具８３を収納ユニット１０に取り付ける態様について説明する。なお、図１２では、説明の簡略化のために、係止突起３０〜３２に関連する突起部８４及び凹部８５のみを図示し、その他の構造の図示は割愛している。
【００５５】
配線器具８３の背面の角部には、凹部８５が形成されている。凹部８５は、係止突起３２にそれぞれ対応する位置に設けられている。各凹部８５は、前後方向Ｘの平面視において略扇形状に形成されている。各凹部８５近傍であって、各凹部８５よりも上下方向Ｚの内側の位置には、各凹部８５の開口周部における配線器具８３の背面から後方に突出する突起部８４が突設されている。各突起部８４は、係止突起３０，３１に対応する位置に設けられている。各突起部８４は、各凹部８５の開口縁部から上下方向Ｚに延出されている。各突起部８４は、前後方向Ｘの平面視において上下方向Ｚが長手の略長方形状に形成されている。各突起部８４の長手方向の長さは、係止突起３０の第１面３０Ａから係止突起３１までの長さよりも長く設定されている。
【００５６】
このような配線器具８３がボディ２０の前面に取り付けられると、各突起部８４がボディ２０の開口部２４内に挿入される。このとき、各突起部８４には、係止突起３０の第１面３０Ａが当接されるとともに、係止突起３１の先端面が当接される。具体的には、各突起部８４の上下方向Ｚの外側の側面に第１面３０Ａが当接され、各突起部８４の左右方向Ｙの外側の側面に係止突起３１の先端面が当接される。これにより、突起部８４が係止突起３０，３１に係止され、ボディ２０に対する配線器具８３の上下方向Ｚ及び左右方向Ｙの位置合わせがなされる。
【００５７】
なお、配線器具８３がボディ２０の前面に取り付けられると、係止突起３２が凹部８５内に挿入される。但し、係止突起３２は凹部８５の内周面のいずれにも当接されない。すなわち、配線器具８３の突起部８４に係止突起３０，３１が係止されるときに、係止突起３２は、配線器具８３のいずれにも係止せず、ボディ２０に対する配線器具８３の位置合わせに寄与しない。
【００５８】
以上説明したように、収納ユニット１０は、係止突起３０，３１，３２を設けたことにより、被係止部（凹部８０，８２及び突起部８４）の形成位置及び形状が異なる複数種類の配線器具７０，８１，８３をそれぞれ位置決めした状態で支持することができる。このため、収納ユニット１０に収納する配線器具を、形成位置及び形状が異なる被係止部を有する配線器具７０，８１，８３を含む複数種類の配線器具の中から択一的に選択することができる。
【００５９】
次に、本実施形態の効果を記載する。
（１）ボディ２０の器具配置部２１に、配線器具７０，８１の凹部８０，８２に係止される係止突起３２と、配線器具８３の突起部８４に係止される係止突起３０，３１とを併せて設けるようにした。これにより、配線器具７０，８１が収納ユニット１０に収納される場合には、係止突起３２によって配線器具７０，８１をボディ２０に対して位置合わせすることができる。また、配線器具８３が収納ユニット１０に収納される場合には、係止突起３０，３１によって配線器具８３をボディ２０に対して位置合わせすることができる。したがって、配線器具７０，８１，８３の有する被係止部（凹部８０，８２及び突起部８４）の形状及び形成位置が大きく異なる場合であっても、それら複数種類の配線器具７０，８１，８３をそれぞれ位置決めした状態で収納することができる。このため、収納ユニット１０に収納する配線器具を、背面形状等の形状が異なる複数種類の配線器具７０，８１，８３の中から択一的に選択することができる。この結果、収納ユニット１０の汎用性を向上させることができる。
【００６０】
（２）器具配置部２１に、ボディ２０の前面から前方に突出する係止突起３２と、開口部２４の内側面から開口部２４内に突出する係止突起３０，３１とを設けるようにした。すなわち、互いに異なる方向に突出する複数種類の係止突起３０〜３２を設けるようにした。これにより、多様な被係止部に係止突起３０〜３２を係止させることができる。例えば本例のように、一方の被係止部を凹部８０，８２とし、他方の被係止部を突起部８４とした全く異なる形状の２種類の被係止部に対しても係止突起３０〜３２を係止させることができる。この結果、収納ユニット１０の汎用性を向上させることができる。
【００６１】
（３）器具配置部２１の上方に立設した水切壁２５の前端面に、水切壁２５とカバー５０の内周壁との隙間を埋めるパッキン４３を設けるようにした。これにより、水切壁２５とカバー５０との間の水密性を高めることができる。したがって、器具配置部２１に水が浸入することを好適に抑制でき、器具配置部２１に配置された配線器具に水がかかることを好適に抑制することができる。
【００６２】
（４）器具配置部２１を全周に亘って包囲する水切壁２５，２６を設けた。これにより、器具配置部２１の防水性能を向上させることができる。さらに、水切壁２５，２６が補強用のリブとして機能するため、ボディ２０の剛性を高めることができる。
【００６３】
（５）カバー５０の前壁５１背面に、水切壁２７と近接する位置に、ボディ２０に接触しない高さで後方に突出して上下方向Ｚに延長されたリブ５３を突設した。このリブ５３により、閉塞位置にあるカバー５０の側壁側から隙間Ｓ１を通じて水切壁２７よりも内側に水が浸入してきた場合であっても、器具配置部２１への水の浸入を好適に抑制することができる。
【００６４】
（６）裏面パッキン６０の下端の角部を面取り形状とした。これにより、排水孔２９周辺において、裏面パッキン６０と裏面リブ３７とによって囲まれた空間を広く確保することができる。このため、ボディ２０の前面から排水孔２９を通じてボディ２０の背面側に排水された水を、水抜き孔３８を通じて外部に効率良く排水することができる。したがって、裏面パッキン６０と裏面リブ３７とによって囲まれた空間に水が溜まることを好適に抑制することができる。
【００６５】
（第２実施形態）
次に、収納ユニット１０の第２実施形態を図面に従って説明する。以下、第１実施形態との相違点を中心に説明する。なお、以下の説明において第１実施形態と同様の構成については同じ番号を付して説明の一部又は全部を割愛する。
【００６６】
図１３に示す収納ユニット１０Ａは、第１実施形態の収納ユニット１０と同様に、形状位置の異なる被係止部を有する複数種類の配線器具を収納可能である。例えば、収納ユニット１０Ａは、図１４に示す配線器具１００や図１５に示す配線器具１０１等を含む複数種類の配線器具群の中から択一的に選択される配線器具を位置決めした状態で収納することができる。
【００６７】
収納ユニット１０Ａは、第１実施形態と同様に、器具配置部２１が前面に形成されたボディ２０と、ボディ２０の前面に取り付けられたカバー５０とを有している。収納ユニット１０Ａは、左右方向Ｙの幅が第１実施形態の収納ユニット１０よりも幅広に形成されている。
【００６８】
器具配置部２１には、係止突起３０，３１，３２の代わりに、ボディ２０の前面から前方に突出する複数種類の係止突起９０，９１，９２が突設されている。係止突起９０，９１，９２は、開口部２４の周囲に設けられている。
【００６９】
係止突起９０，９１は、開口部２４の上下方向Ｚに延びる内側面に近接して設けられている。係止突起９０と係止突起９１とは、上下方向Ｚに並んで設けられている。各係止突起９０は、係止突起９１よりも上方に設けられている。各係止突起９０は、例えば、先端部が切り落とされた楕円柱状に形成されている。各係止突起９０は、前後方向Ｘの平面視において楕円の長径が上下方向Ｚに沿うように形成されている。各係止突起９１は、例えば、先端部が切り落とされた円柱状に形成されている。
【００７０】
係止突起９２は、開口部２４の左右方向Ｙに延びる内側面に近接して設けられている。本例では、開口部２４の上方に２個の係止突起９２が左右方向Ｙに並んで設けられ、開口部２４の下方に２個の係止突起９２が左右方向Ｙに並んで設けられている。開口部２４の上方に設けられた２個の係止突起９２の間の間隔は、開口部２４の下方に設けられた２個の係止突起９２の間の間隔よりも狭く設定されている。各係止突起９２は、例えば、先端部が切り落とされた楕円柱状に形成されている。各係止突起９２は、前後方向Ｘの平面視において楕円の長径が左右方向Ｙに沿うように形成されている。
【００７１】
以上説明した収納ユニット１０Ａでは、器具配置部２１の異なる位置に複数種類の係止突起９０〜９２を設けたことにより、外周形状の異なる複数種類の配線器具をボディ２０に対して位置決めした状態で収納することができる。
【００７２】
以下に、図１４及び図１５を参照して、収納ユニット１０に収納可能な配線器具１００，１０１の収納ユニット１０Ａに対する取付態様について説明する。なお、図１４及び図１５では、説明の簡略化のために、配線器具１００，１０１の被係止部である凹部１０２，１０３，１０４のみを図示し、その他の構造の図示は割愛している。
【００７３】
図１４に示すように、配線器具１００の背面には、係止突起９０にそれぞれ対応する位置に凹部１０２が形成され、係止突起９１にそれぞれ対応する位置に凹部１０３が形成されている。各凹部１０２，１０３は、前後方向Ｘの平面視において略矩形状に形成されている。
【００７４】
このような配線器具１００がボディ２０（図１３参照）の前面に取り付けられると、各凹部１０２には係止突起９０がそれぞれ挿入され、各凹部１０３には係止突起９１がそれぞれ挿入される。このとき、各係止突起９０，９１は、対応する凹部１０２，１０３の左右方向Ｙの外側寄りの内周面にそれぞれ当接される。具体的には、図中右側に位置する係止突起９０は、対応する凹部１０２の図中右側の内周面と図中下側の内周面とに当接される。図中左側に位置する係止突起９０は、対応する凹部１０２の図中左側の内周面のみに当接される。各係止突起９１は、凹部１０３の左右方向Ｙの外側寄りの内周面に当接されるとともに、凹部１０３の上下方向Ｚの内側寄りの内周面（図中上側の内周面）に当接される。これらにより、凹部１０２，１０３に係止突起９０，９１がそれぞれ係止され、ボディ２０に対する配線器具１００の上下方向Ｚ及び左右方向Ｙの位置合わせがなされる。すなわち、係止突起９０，９１によって、配線器具１００がボディ２０に対して位置決めされた状態で支持される。
【００７５】
一方、図１５に示すように、配線器具１０１の背面には、係止突起９２にそれぞれ対応する位置に凹部１０４が形成されている。各凹部１０４は、前後方向Ｘの平面視において略矩形状に形成されている。
【００７６】
このような配線器具１０１がボディ２０（図１３参照）の前面に取り付けられると、各凹部１０４には係止突起９２がそれぞれ挿入される。このとき、各係止突起９２は、対応する凹部１０４の上下方向Ｚの外側寄りの内周面にそれぞれ当接される。これにより、配線器具１０１の被係止部である凹部１０４に係止突起９２が係止され、ボディ２０に対する配線器具１０１の上下方向Ｚ及び左右方向Ｙの位置合わせがなされることになる。
【００７７】
以上説明したように、収納ユニット１０Ａは、配線器具１００の凹部１０２，１０３にそれぞれ係止される係止突起９０，９１と、配線器具１０１の凹部１０４に係止される係止突起９２とを併せて器具配置部２１に設けるようにした。これにより、被係止部（凹部１０２〜１０４）の形成位置及び形状が異なる複数種類の配線器具１００，１０１をそれぞれ位置決めした状態で支持することができる。このため、収納ユニット１０Ａに収納する配線器具を、形成位置及び形状が異なる被係止部を有する配線器具１００，１０１を含む複数種類の配線器具群の中から択一的に選択することができる。
【００７８】
なお、図示は省略したが、配線器具１００の凹部１０２，１０３に係止突起９０，９１がそれぞれ係止されるときには、係止突起９２は配線器具１００のいずれにも係止しない。また、配線器具１０１の凹部１０４に係止突起９２が係止されるときには、係止突起９０，９１は配線器具１０１のいずれにも係止しない。
【００７９】
以上説明した本実施形態によれば、上記第１実施形態の（１）、（３）〜（６）の効果と同様の効果を奏することができる。
なお、上記各実施形態は、以下のように変更してもよい。
【００８０】
・上記各実施形態におけるパッキン４３の形状は特に限定されない。すなわち、水切壁２５とカバー５０の内周壁との隙間を埋めることが可能であれば、パッキン４３の形状は適宜変更することができる。例えば、上記各実施形態ではパッキン本体４４を断面略Ｌ字状に形成するようにしたが、パッキン本体４４を断面略コ字状に形成するようにしてもよい。
【００８１】
・上記各実施形態では、水切壁２５の前端面にパッキン４３を装着するようにした。これに限らず、例えば、水切壁２７の前端面にパッキン４３を装着するようにしてもよい。また、パッキン４３をカバー５０の内周壁に設けるようにしてもよい。
【００８２】
・上記各実施形態におけるパッキン４３を省略してもよい。
・上記各実施形態では、カバー５０が閉塞位置にあるときに、水切壁２７よりも内側に配置されるように、リブ５３をカバー５０の前壁５１背面に突設した。これに限らず、リブ５３を、カバー５０が閉塞位置にあるときに、水切壁２７よりも外側に配置されるように形成してもよい。
【００８３】
・上記各実施形態におけるリブ５３を省略してもよい。
・上記各実施形態における裏面パッキン６０の形状は特に限定されない。例えば、裏面パッキン６０の接続部６１をＲ面取りされた形状となるように形成してもよい。
【００８４】
・上記各実施形態における水切壁２５，２７，２８のうち少なくとも１つの水切壁を省略してもよい。あるいは、水切壁２５，２７，２８を全て省略してもよい。
・上記各実施形態では、ボディ２０の前面に一端側が回動自在となるようにカバー５０を取り付けるようにした。これに限らず、例えば、ボディ２０に対して着脱自在にカバー５０を取り付けるようにしてもよい。
【００８５】
・上記各実施形態では、収納ユニット１０，１０Ａに収納する配線器具７０，８１，８３，１００，１０１としてコンセントを例示したが、その他の配線器具を収納ユニット１０，１０Ａに収納してもよい。例えば、配線器具としてスイッチを用いるようにしてもよい。
【００８６】
・上記第１実施形態の収納ユニット１０の器具配置部２１に、図７〜図１２に示した配線器具７０，８１，８３とは異なる被係止部を有する配線器具を位置決めするための係止部をさらに設けるようにしてもよい。
【００８７】
・上記第２実施形態の収納ユニット１０Ａの器具配置部２１に、図１４及び図１５に示した配線器具１００，１０１とは異なる被係止部を有する配線器具を位置決めするための係止部をさらに設けるようにしてもよい。
【００８８】
・上記各実施形態の収納ユニット１０，１０Ａにおける係止部の形状は特に限定されない。例えば、突起状の係止部に限らず、収納ユニット１０，１０Ａの係止部として、ボディ２０の前面に凹部又は貫通孔を形成するようにしてもよい。
【００８９】
・上記各実施形態における配線器具７０，８１，８３，１００，１０１の被係止部（凹部８０，８２，１０２〜１０４及び突起部８４）以外の形状は任意の形状とすることができる。
【００９０】
・上記各実施形態における配線器具７０，８１，８３，１００，１０１の被係止部（凹部８０，８２，１０２〜１０４及び突起部８４）における前後方向Ｘの平面視形状は、対応する係止突起３０〜３２，９０〜９２に係止される形状であれば特に限定されない。
【００９１】
・上記各実施形態における配線器具７０，８１，１００，１０１の凹部８０，８２，１０２〜１０４を、例えば、配線器具７０，８１，１００，１０１を前後方向Ｘにそれぞれ貫通する貫通孔に変更してもよい。
【００９２】
・上記各実施形態の収納ユニット１０，１０Ａに、図７及び図８に示した器具本体７１と取付プレート７２と化粧プレート７３に相当する部材が一体になった配線器具を収納するようにしてもよい。この配線器具は、例えば、収納ユニット１０，１０Ａの係止突起３０〜３２，９０〜９２等の係止部によって位置決めされていない状態で収納される。
【００９３】
・上記実施形態並びに各変形例は適宜組み合わせてもよい。
次に、上記実施形態及び別例から把握できる技術的思想を以下に追記する。
（付記１）
第１被係止部を有する第１配線器具と、前記第１被係止部と異なる位置に形成された第２被係止部を有する第２配線器具とを含む複数種類の配線器具群から択一的に選択される配線器具が収納される収納ユニットであって、
前記配線器具が配置される器具配置部を前面に有し、施工面に背面を対向させるように取り付けられるボディと、
前記ボディの前面に一端側が回動自在に取り付けられ、又は前記ボディに着脱自在に取り付けられ、前記器具配置部を覆う閉塞位置にあるときに前記ボディとの間で前記配線器具を収納するカバーと、
前記器具配置部に設けられ、前記第１配線器具が収納されるときに前記第１被係止部と係止される第１係止部と、
前記器具配置部の前記第１係止部とは異なる位置に設けられ、前記第２配線器具が収納されるときに前記第２被係止部と係止される第２係止部と、を有することを特徴とする収納ユニット。
【００９４】
（付記２）
付記１に記載の収納ユニットにおいて、
前記第１係止部は、前記第２係止部が前記第２被係止部に係止して前記ボディに対して前記第２配線器具が位置決めされるときに、前記第２配線器具のいずれにも係止しない係止部であり、
前記第２係止部は、前記第１係止部が前記第１被係止部に係止して前記ボディに対して前記第１配線器具が位置決めされるときに、前記第１配線器具のいずれにも係止しない係止部であることを特徴とする収納ユニット。
【００９５】
（付記３）
付記１又は２に記載の収納ユニットにおいて、
前記器具配置部には、前記施工面から電線を導入する開口部が貫設され、
前記第１係止部は、前記ボディの前面から前方に突出する係止突起であり、
前記第２係止部は、前記開口部の内側面から前記開口部内に突出する係止突起であることを特徴とする収納ユニット。
【００９６】
（付記４）
付記１〜３のいずれか一項に記載の収納ユニットにおいて、
前記ボディの前面には、前方に突出して前記器具配置部の周囲の少なくとも一部を覆う水切壁が突設され、
前記閉塞位置にあるときの前記カバーの内周壁と前記水切壁とが近接する少なくとも一部には、前記カバーの内周壁と前記水切壁との隙間を埋めるパッキンが設けられていることを特徴とする収納ユニット。
【００９７】
（付記５）
付記４に記載の収納ユニットにおいて、
前記配線器具は、上下方向に沿った前記施工面に取り付けられる配線器具であって、
前記水切壁は、前記ボディの両側端縁に沿って上下方向に延びるように突設された第１水切壁を有し、
前記ボディの前面と対向する前記カバーの前壁背面には、前記第１水切壁と近接する位置に、前記ボディに接触しない高さで後方に突出して上下方向に延長されたリブが突設されていることを特徴とする収納ユニット。
【００９８】
（付記６）
付記５に記載の収納ユニットにおいて、
前記ボディの背面に取り付けられる裏面パッキンと、
前記第１水切壁の下端部近傍の前記ボディに貫設された排水孔と、を有し、
前記裏面パッキンは、前記施工面側から見たときの平面視形状における下端の角部が面取りされた形状に形成されていることを特徴とする収納ユニット。
【符号の説明】
【００９９】
１０，１０Ａ…収納ユニット、２０…ボディ、２１…器具配置部、２４…開口部、２５，２６…水切壁、２７…水切壁（第１水切壁）、２９…排水孔、３０，３１…係止突起（第２係止部）、３２…係止突起（第１係止部）、４３…パッキン、５０…カバー、５１…前壁、５３…リブ、６０…裏面パッキン、７０，８１…配線器具（第１配線器具）、８０，８２…凹部（第１被係止部）、８３…配線器具（第２配線器具）、８４…突起部（第２被係止部）、９０，９１…係止突起（第１係止部）、９２…係止突起（第２係止部）、１００…配線器具（第１配線器具）、１０１…配線器具（第２配線器具）、１０２，１０３…凹部（第１被係止部）、１０４…凹部（第２被係止部）。
【図１】
2016146709.tif 000003
【図２】
2016146709.tif 000004
【図３】
2016146709.tif 000005
【図４】
2016146709.tif 000006
【図５】
2016146709.tif 000007
【図６】
2016146709.tif 000008
【図７】
2016146709.tif 000009
【図８】
2016146709.tif 000010
【図９】
2016146709.tif 000011
【図１０】
2016146709.tif 000012
【図１１】
2016146709.tif 000013
【図１２】
2016146709.tif 000014
【図１３】
2016146709.tif 000015
【図１４】
2016146709.tif 000016
【図１５】
2016146709.tif 000017